(57)【要約】【課題】この発明は、簡便にして容易なクラッチ切換え操作を実現し得、且つ、円滑にして高品質な釣糸巻取り操作及び釣糸放出操作を実現し得るようにすることにある。【解決手段】リール本体１０の一方の側板１０１，１０２に配したハンドル１８の回転操作に連動して回転するピニオン２６を、外部の切換操作に連動して軸方向に移動させ、リール本体１０に回転自在に配したスプール１６側に対応して配したクラッチ機構２０により、クラッチ切換えを行い、スプール１６を釣糸巻取り可能状態と、釣糸放出可能状態に切換えるリール構造において、ピニオン２６の両側部を回転自在で、且つ，軸方向に移動可能に支持する軸受２２，２４と、該ピニオン２６の両側の外周との間に弾性部材１３１，１３２を介在して構成した。【選択図】      図２
2006246721.tif 000002
【特許請求の範囲】
【請求項１】
リール本体の一方の側板に配したハンドルの回転操作に連動して回転する両側部が軸受を介して回転自在に支持されたピニオンを、外部の切換操作に連動して軸方向に移動させ、前記リール本体に回転自在に配したスプール側に設けたクラッチ係合部に係脱させ、前記スプールを釣糸巻取り可能状態と、釣糸放出可能状態に切換えるクラッチ機構を備えた魚釣用リールにおいて、
前記軸受と前記ピニオンの両側部の外周との間に弾性部材を介在したことを特徴とする魚釣用リール。
【請求項２】
前記弾性部材は、環状に形成され、前記軸受と前記ピニオンの両側部の外周との間における全周に亘って介在されることを特徴とする請求項１記載の魚釣用リール。
【発明の詳細な説明】
【技術分野】
【０００１】
この発明は、リール本体に回転自在に配したスプールを、釣糸巻取り状態（クラッチオン）と釣糸放出状態（クラッチオフ）に切換えるクラッチ機構を備える魚釣用リールの改良に関する。
【背景技術】
【０００２】
従来より、魚釣用リールには、スプールをリール本体の側板間に回転自在に配し、このスプールをクラッチ機構を介して釣糸巻取り可能なクラッチオン状態と、釣糸放出可能なクラッチオフ状態に切換えるように構成されている。
【０００３】
ところで、このような魚釣用リールは、そのリール本体に釣糸の巻回されるスプールが回転自在に配され、このスプールを回転させるハンドルがリール本体の一方の側板に回転操作自在に配される。そして、このリール本体には、上記ハンドルの回転操作に連動して回転されてスプールを回転駆動させるピニオンが、その両側部を軸受で回転自在に支持された状態で、その軸方向に移動可能に配され、このピニオンが外部の切換え操作により軸方向に移動されてスプール側に設けたクラッチ係合部に係脱されて、スプールを釣糸巻取り可能な状態と、釣糸放出可能な状態に切換えるようにしたクラッチ機構を搭載したものが提案されている（例えば、特許文献１及び２参照。）。
【特許文献１】特許第３１６６９００号公報
【特許文献２】特許第３２１５７９９号公報
【発明の開示】
【発明が解決しようとする課題】
【０００４】
しかしながら、上記魚釣用リールでは、クラッチの切換え動作を、軸受を介して回転自在に支持されるピニオンを軸方向に移動させて行う構成のため、ピニオンの端部外周を回転自在に支持する軸受との嵌合部間には、軸方向にスムースに移動可能な間隙（嵌合遊度）を設けなければならず、その間隙がいわゆる「ガタ」となってピニオンの相手歯車に対する噛合姿勢が不安定となり、ハンドル回転操作時に、異音が発生したり、振動が発生したりする等、ハンドル回転性が悪くなるという問題を有する。係る問題は、特に、クラッチオフ状態の釣糸放出時にも、スプール軸の延出部がピニオン内に嵌挿される構成の場合にも、振動、異音等の現象が生じる。
【０００５】
この発明は、上記事情に鑑みてなされたもので、簡便にして容易なクラッチ切換え操作を実現し得、且つ、円滑にして高品質な釣糸巻取り操作及び釣糸放出操作を実現し得るようにした魚釣用リールを提供することを目的とする。
【課題を解決するための手段】
【０００６】
この発明は、リール本体の一方の側板に配したハンドルの回転操作に連動して回転する両側部が軸受を介して回転自在に支持されたピニオンを、外部の切換操作に連動して軸方向に移動させ、前記リール本体に回転自在に配したスプール側に設けたクラッチ係合部に係脱させ、前記スプールを釣糸巻取り可能状態と、釣糸放出可能状態に切換えるクラッチ機構を備えた魚釣用リールにおいて、前記軸受と前記ピニオンの両側部の外周との間に弾性部材を介在して構成した。
【０００７】
上記構成によれば、ピニオンは、その両側部外周が弾性部材とともに軸受を介して回転され，且つ、その弾性部材が軸受に摺接されて軸方向に移動されることにより、この弾性部材により軸受との間の間隙が充填された状態となって、相手歯車の歯面と最適な噛合状体に調芯されることになり、その両側部におけるガタが防止される。従って、ピニオンの軸方向への簡便にして容易な移動操作を実現して高精度なクラッチ切換え操作を実現したうえで、ハンドル回転操作による高品質な釣糸巻取り動作及び釣糸放出動作を実現することが可能となる。
【発明の効果】
【０００８】
以上述べたように、この発明によれば、簡便にして容易なクラッチ切換え操作を実現し得、且つ、円滑にして高品質な釣糸巻取り操作及び釣糸放出操作を実現し得るようにした魚釣用リールを提供することができる。
【発明を実施するための最良の形態】
【０００９】
以下、この発明の実施の形態について、図面を参照して詳細に説明する。
【００１０】
図１は、この発明の一実施の形態に係る魚釣用リールを示すもので、一対の側板１０１，１０２を有したリール本体１０には、その側板１０１，１０２間にスプール軸１４が軸受１２（図１中では、図の都合上、一方側のみを図示）を介して回転自在に配される。そして、このスプール軸１４には、スプール１６が同心的に固定される。また、リール本体１０の一方の側板１０２には、ハンドル１８が回転操作自在に配される。このハンドル１８には、ハンドル軸１８１が回り止め嵌着され、このハンドル軸１８１には、クラッチ機構２０を介して上記スプール軸１４が回転力可能に選択的に連結される。
【００１１】
このハンドル軸１８１には、ドライブ歯車３６が嵌着され、このドライブ歯車３６には、上記スプール１６に対して釣糸（図示しない）を平行に巻回させるレベルワインド機構Ｒを作動させるための駆動軸９が回転力伝達可能に結合される。この駆動軸９は、ハンドル１８の回転操作によってスプール１６が釣糸巻取方向に回転されたときに、その回転運動に連動して駆動されて、釣糸を軸方向に移動案内してスプール１６に対して均一的に巻回を行うように構成される。また、上記ドライブ歯車３６とハンドル軸１８１との間には、魚釣時にスプール１６から釣糸が繰り出された際に、スプール１６に所望のドラグ力を与えることが可能な周知のドラグ機構１１が配置される。
【００１２】
上記クラッチ機構２０は、一方の側板１０２中でスプール軸１４に対して同心的に配置され、両側部の外周が一対の軸受２２，２４により回転自在に支持されていると共に、スプール軸１４（即ち、スプール１６）の回転中心軸に沿い所定の範囲で移動自在に支持される略円筒状のクラッチ部材を構成するピニオン２６を備える。
【００１３】
このピニオン２６の中心孔には、中心軸２８が挿入される。この中心軸２８の両端面は、一方の側板１０２中のスプール軸１４の一端部の端面と、一方の側板１０２の外側壁に着脱自在に支持されている軸カバー３０とに当接されてスプール軸１４（即ち、スプール１６）の回転中心線に沿った方向における移動が規制される。
【００１４】
上記ピニオン２６は、中心軸２８の外周面上で、上記回転中心線に沿った方向に移動自在に配されている。このピニオン２６には、図２に示すようにスプール軸１４の上記一端部に隣接した部分を除く外周には、所定の歯が設けられ、この歯には、上記ドライブ歯車３６が歯合される。そして、このピニオン２６の両側部は、その外周と上記一対の軸受２２、２４との間にゴム材等で，軸方向に所定幅を有した略環状の弾性部材１３１，１３２が介在されて回転自在で、且つ、回転中心軸方向に移動自在に支持される（図３及び図４参照）。この弾性部材１３１，１３２は、例えばピニオン２６の両側部の外周の全周に亘って配され、ピニオン２６の両側部を軸受２２，２４の内輪に沿って充填して、いわゆる「ガタ」なく、且つ、回転中心軸方向に摺接自在に組付けられる。これにより、ピニオン２６は、回転力が付与されると、その両側部が弾性部材１３１，１３２とともに軸受２２，２４を介して回転され、且つ、その軸方向に対して、弾性部材１３１，１３２が軸受２２，２４に摺接されて移動される。
また、ピニオン２６には、その外周面に環状溝３４が設けられ、この環状溝３４には、リール本体１０の外表面から突出しているクラッチ操作レバー３８の操作に連動されるクラッチ操作板３８１が係合される。このクラッチ操作板３８１は、一方の側板１０２中でバネ部材３８２により一方の側板１０２中のスプール軸１４の上記一端部に接近する方向に付勢される。
【００１５】
クラッチ操作板３８１は、図１において、紙面に対して垂直な方向における下方に向かいクラッチ操作レバー３８が押圧されると、上記バネ部材３８２の付勢力に抗して図１に示す位置から右方に所定の距離だけピニオン２６とともに移動する。この結果、スプール軸１４の上記一端部の端面に隣接しているピニオン２６の端部がスプール軸１４の上記一端部の端面から上記回転中心線に沿った方向に所定の距離だけ離間した回転力遮断位置に移動される。
【００１６】
その後、ハンドル１８を所定の釣糸巻取り方向（図１に矢印Ｒで示す）に回転させると、ハンドル軸１８１とクラッチ操作板３８１との間に介在されている図示しない公知のクラッチ開放解除機構の作用により、クラッチ操作板３８１は、上記バネ部材３８２の付勢力によりピニオン２６とともに上述した回転力遮断位置から図１において左方に上記所定の距離だけ移動される。ここで、クラッチ操作レバー３８も図１において紙面に対して垂直な方向における下方の押圧位置から上方の押圧前の初期位置に向かい復帰される。この結果、スプール軸１４の上記一端部の端面に隣接しているピニオン２６の端部がスプール軸１４の上記一端部の端面に向かい上記回転中心線に沿った方向に所定の距離だけ上記回転力遮断位置から移動されて、図１に示す如くスプール軸１４の上記一端部の端面に接触した回転力伝達位置に復帰される。
【００１７】
また、スプール軸１４において一方の側板１０２中に突出した上記一端部とスプール軸１４の上記一端部に隣接しているピニオン２６の端部とには、ピニオン２６が図１に示す上述した回転力伝達位置に配置されている時に相互に周方向に係合し、ピニオン２６が上述した回転力遮断位置に配置されている時に相互の周方向における係合を解除するクラッチ係合部である係合部１４１，２６１が設けられる。
【００１８】
上記スプール軸１４の一端部の係合部１４１は、上記一端部の外周面からスプール軸１４の回転中心線の直径方向に突出した係合ピンにより構成される。そして、スプール軸１４の係合部１４１（係合ピン）は、スプール軸１４の上記一端部に隣接しているピニオン２６の端部を回転自在に支持する軸受２２の内周面に範囲内に位置している。
【００１９】
上記ピニオン２６の係合部２６１は、スプール軸１４の上記一端部の外周面の直径よりも僅かに大きな内周面を有しスプール軸１４に対して同心的な円環形状突起４０を有しており、円環形状突起４０の突出端面には、スプール軸１４の回転中心線の直径方向に配置された一対の係合凹所４２が形成される。
【００２０】
上記ピニオン２６は、図１に示すクラッチ操作レバー３８が紙面に対して垂直な方向における下方に向かい押圧されていなければ、スプール軸１４の上記一端部に隣接した係合部２６１をスプール軸１４の上記一端部の係合部１４１に係合させた回転力伝達位置に配置されている。そして、この回転力伝達位置において、ピニオン２６の係合部２６１は、図２に示す如く、１対の係合凹所４２にスプール軸１４の上記一端部の係合部１４１（係合ピン）を挿入させる。
【００２１】
ここで、ハンドル１８を所定の釣糸巻取り方向（図１に矢印Ｒで示す）に回転させると、これにより発生した回転力は、ハンドル軸１８１、ドライブ歯車３６、ピニオン２６に入力されて、該ピニオン２６を所定の釣糸巻取り方向（図１に矢印Ｘで示す）に回転させる。このようにピニオン２６に入力されたハンドル１８からの回転力は、上記弾性部材１３１，１３２の作用により、該弾性部材１３１，１３２が軸受２２，２４に摺接されてガタ無く回転され、上述した如く周方向において相互に係合しているピニオン２６の係合部２６１とスプール軸１４の上記一端部の係合部１４１とによりスプール軸１４を介してスプール１６まで伝達され、スプール１６をピニオン２６と同様の所定の釣糸巻取り方向（図１に矢印Ｘで示す）に回転させる。すると、スプール１６の外周面上に図示しない釣糸が釣糸巻取り方向（図１に矢印Ｌで示す釣糸放出方向とは正反対の方向）に巻取られる。
【００２２】
また、スプール１６上からの図１に矢印Ｌで示す釣糸放出方向への釣糸の自由な放出を可能とするには、紙面に対して垂直な方向における下方に向かいクラッチ操作レバー３８を押圧する。すると、クラッチ操作板３８１は、上記バネ部材３８２の付勢力に抗して図１に示す位置から右方に所定の距離だけピニオン２６とともに移動される。この結果、スプール軸１４の係合部１４１からピニオン２６の係合部２６１がスプール軸１４の回転中心線に沿った方向に所定の距離だけ離間した回転力遮断位置に移動される。
【００２３】
この状態において、ハンドル１８を所定の釣糸巻取り方向（図１に矢印Ｒで示す）に回転させると、クラッチ操作板３８１は、ハンドル軸１８１とクラッチ操作板３８１との間に介在されている上記クラッチ開放解除機構（図示せず）の作用により上記バネ部材３８２の付勢力によりピニオン２６とともに上述した回転力遮断位置から図２において左方に上記所定の距離だけ移動されると、クラッチ操作レバー３８も図１において紙面に対して垂直な方向における下方の押圧位置から上方の押圧前の初期位置に向かい復帰される。この結果、ピニオン２６が、スプール軸１４の係合部１４１に向かいスプール軸１４の回転中心線に沿った方向に所定の距離だけ回転力遮断位置から移動されて、ピニオン２６の係合部２６１の端面の傾斜面が、スプール軸１４の係合部１４１に当接すると傾斜面に導かれてスプール軸１４の係合部１４１が速やかにピニオン２６の係合部２６１の係合凹所４２内に導入され、最終的にピニオン２６の係合部２６１がスプール軸１４の係合部１４１に係合した回転力伝達位置に復帰される。
【００２４】
ここで、ハンドル１８が回転操作されると、その回転力は、ハンドル軸１８１、ドライブ歯車３６、ピニオン２６、クラッチ機構２０を介してスプール軸１４に伝達され、スプール１６が回転されると共に、駆動軸９、レベルワインド機構Ｒが駆動され、釣糸がスプール１６に均一的に巻回される。この際、ピニオン２６は、軸受２２，２４に対して弾性部材１３１，１３２が介在された状態で、回転支持されていることで、ドライブ歯車３６の歯面と最適な噛合状態に調芯されてガタ無く高品質な回転が行われ、振動、異音等の発生を抑制した安定した釣糸巻取り操作が行われる。
【００２５】
このように、上記魚釣用リールは、リール本体１０の一方の側板１０１，１０２に配したハンドル１８の回転操作に連動して回転するピニオン２６を、外部の切換操作に連動して軸方向に移動させ、リール本体１０に回転自在に配したスプール１６側に対応して配したクラッチ機構２０により、クラッチ切換えを行い、スプール１６を釣糸巻取り可能状態と、釣糸放出可能状態に切換えるリール構造において、ピニオン２６の両側部を回転自在で、且つ，軸方向に移動可能に支持する軸受２２，２４と、該ピニオン２６の両側部との間に弾性部材１３１，１３２を介在して構成した。
これによれば、ピニオン２６は、その両側部が弾性部材１３１，１３２とともに軸受２２，２４を介して回転され，且つ、その弾性部材１３１，１３２が軸受２２，２４に摺接されて軸方向に移動されることにより、その両側部が弾性部材１３１，１３２により、ガタが防止された状態で、軸受２２，２４に対する軸方向への移動及び軸受２２，２４による回転が行われる。
【００２６】
この結果、ピニオン２６の軸方向への簡便にして容易な移動操作を実現して高精度なクラッチ切換え操作を実現したうえで、ハンドル回転操作による高品質な釣糸巻取り動作及び釣糸放出動作を実現することが可能となる。
【００２７】
なお、上記実施の形態では、所定幅を有した環状の弾性部材１３１，１３２を、軸受２２，２４の内輪とピニオン２６の両側部の外周との間に配するように構成した場合で説明したが、これに限ることなく、その他、図５に示すように環状の弾性部材１３２ａを軸受２４の外輪とリール本体１０との間，及び軸受２４の内輪とピニオン２６との間の双方に介在するように構成することも可能である。この場合、弾性部材１３２ａは、例えば軸受２４の内輪及び外輪にボールに対向して当接するようにて配置される。
【００２８】
ここで、上記図５においては、図の都合上、軸受２４側に弾性部材１３２ａを配する場合について説明したが、その他、軸受２２側においても同様に構成可能である。
【００２９】
また、弾性部材の配置構成としては、上記二つの実施の形態に限るものでなく、この二つの実施の形態における弾性部材の配置構成を組合わせて構成することも可能で、同様の効果が期待される。
【００３０】
さらに、上記実施の形態では、環状の弾性部材１３１，１３２をピニオン２６の両側部と軸受２２，２４との間のピニオン２６の側部の外周に卷着固定したり、あるいは弾性部材１３２ａをピニオン２６の端部と軸受２４との間のピニオン側及びリール本体側に固定するように構成した場合で説明したが，これに限ることなく、その他、弾性部材１３１，１３２（１３２ａ）を、軸受２２，２４の内輪あるいは外輪に固定配置するように構成することも可能で、同様の効果が期待される。また、弾性部材１３１，１３２の形状は、断面円形のＯリングでも、断面楕円でもよく、適宜選択される。
【００３１】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３２】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３３】
【図１】この発明の一実施の形態に係る魚釣用リールの要部を断面して示した一部断面図である。
【図２】図１のＡ部を拡大して示した断面図である。
【図３】図２のＢ部を拡大して示した断面図である。
【図４】図２のＣ部を拡大して示した断面図である。
【図５】この発明の他の実施の形態に係る魚釣用リールの要部を拡大して示した断面図である。
【符号の説明】
【００３４】
Ｒ…レベルワインド機構、９…駆動軸、１０…リール本体、１０１，１０２…側板、１１…ドラグ機構、１２…軸受、１３１，１３２，１３２ａ…弾性部材、１４スプール軸、１４１…係合部、１６…スプール、１８…ハンドル、１８１…ハンドル軸、２０…クラッチ機構、２２，２３…軸受、２６…ピニオン、２６１…係合部、２８…中心軸、３０…軸カバー、３４…環状溝、３６…ドライブ歯車、３８…クラッチ操作レバー、３８１…クラッチ操作板、３８２…バネ部材、４０…円環形状突起、４２…係合凹所。
【図１】
2006246721.tif 000003
【図２】
2006246721.tif 000004
【図３】
2006246721.tif 000005
【図４】
2006246721.tif 000006
【図５】
2006246721.tif 000007